(57)【要約】 【課題】  基板ボックスを取り外す際の作業負担を軽減する。【解決手段】  連結体８０と取付ベース６０とは一体成形されている。取付ベース６０は、パチンコ機１側に支持された状態で第１の基板ボックス２０を保持している。第２の基板ボックス４０は、第１の基板ボックス２０と連結体８０とに跨って装着されている。第１の基板ボックス２０には第１の被係合部２０Ａが設けられ、第２の基板ボックス４０には第１の被係合部２０Ａと係合可能な第１の係合部４０Ｂが設けられている。第１の基板ボックス２０を第２の基板ボックス４０との対向面に沿う方向に移動することで第１の係合部４０Ｂと第１の被係合部２０Ａの係合を解除して取り外す。【選択図】  図２
2005168829.tif 000002
【特許請求の範囲】
【請求項１】
複数の基板ボックスを有する遊技機の基板ボックスの取付構造であって、
前記複数の基板ボックスには、少なくとも、遊技機裏側に設けられた所定の保持部によって保持される第１の基板ボックスと、当該第１の基板ボックスに対向して配されると共に、当該第１の基板ボックスと、遊技機側に支持される当該第１の基板ボックスとは別の部材とに跨って装着される第２の基板ボックスとが含まれ、
前記第１の基板ボックスは、前記第２の基板ボックスとの対向面に沿う方向に移動して取り外し可能となっており、
前記第２の基板ボックスは、前記第１の基板ボックスに設けられた第１の被係合部と係合可能な第１の係合部と、前記別の部材に設けられた第２の被係合部と係合可能な第２の係合部とを有すると共に、これら第１及び第２の係合部による係合状態を解除することによって前記第１の基板ボックスとは独立して取り外し可能に構成され、他方、前記第１の基板ボックスの取り外しの際の移動に伴い、前記第１の被係合部と前記第１の係合部との係合が解除されるようになっており、かつ前記第１の基板ボックスが取り外された後、前記別の部材に保持可能とされていることを特徴とする基板ボックスの取付構造。
【発明の詳細な説明】
【技術分野】
【０００１】
本発明は、パチンコ機などの遊技機において、制御基板を収容する基板ボックスの取付構造に関する。
【背景技術】
【０００２】
パチンコ機などの遊技機において外部電源が取り込まれる電源基板や払出基板などの各種制御基板は、不正な改変等がなされないように基板ボックスの内部に封印された状態で収容されている（例えば、以下の特許文献１を参照）。基板ボックスは、通常、各制御基板毎に対応して設けられ、遊技機の背面側に設けられた機構板や遊技機本体枠などに取付けられるようになっている。そして、それらのうちの例えば機構板に基板ボックスを配置しようとした場合、当該機構板には通常、基板ボックス以外にもカバー部材や賞球払出装置等の各種機能部品が設けられるため、これらと干渉しないように基板ボックスを取り付ける必要がある。そうすると、複数の基板ボックスを機構板の裏面に沿ってそれぞれ個別に並べて配置しようとした場合には、機構板全体においてそれら基板ボックスの占める割合が増大することとなるため、他の機能部品がスペース上の制約を受けてしまったり、或いは、スペース的にそのような基板ボックスの個別配置自体が困難であったりする。このような問題は機構板以外に基板ボックスを配置しようとした場合でも同様である。
【特許文献１】特開２００１−２０４９４０公報
【発明の開示】
【発明が解決しようとする課題】
【０００３】
上記のような問題に対し、機構板、遊技機本体枠などの上に複数の基板ボックスを重ね合せる構成が考えられている。具体的には、例えば機構板上に１つの基板ボックスを固定し、それとは異なる他の基板ボックスを、機構板ではなく、その固定される基板ボックスの背面に固定するようにして重畳して設けることがある。これによれば、機構板裏側において基板ボックスの占める割合を効果的に抑制できることとなる。
【０００４】
しかしながら、上記のように、機構板等に基板ボックスを固定し、その上にさらに別の基板ボックスを取り付けるように上下に重畳して配置した場合（説明の便宜のため、重なり方向を上下方向とする。）、作業者が保守点検や機種替えなどの作業を行う際に、下側（即ち機構板側）の基板ボックスのみを独立して着脱することができなくなってしまう。即ち、下側の基板ボックスのみを取り外したい場合であっても、上側の基板ボックスを一旦外してから行うか、若しくは上下両方の基板ボックスを共に外すように行わなければならず、作業負担が大きくなってしまうという問題がある。
【０００５】
本発明は上記のような事情に基づいて完成されたものであって、基板ボックスを取り外す際の作業負担を軽減することを目的とする。
【課題を解決するための手段】
【０００６】
上記の目的を達成するための手段を以下に示す。
手段１．複数の基板ボックスを有する遊技機の基板ボックスの取付構造であって、
前記複数の基板ボックスには、少なくとも、遊技機裏側に設けられた所定の保持部によって保持される第１の基板ボックスと、当該第１の基板ボックスに対向して配されると共に、当該第１の基板ボックスと、遊技機側に支持される当該第１の基板ボックスとは別の部材とに跨って装着される第２の基板ボックスとが含まれ、
前記第１の基板ボックスは、前記第２の基板ボックスとの対向面に沿う方向に移動して取り外し可能となっており、
前記第２の基板ボックスは、前記第１の基板ボックスに設けられた第１の被係合部と係合可能な第１の係合部と、前記別の部材に設けられた第２の被係合部と係合可能な第２の係合部とを有すると共に、これら第１及び第２の係合部による係合状態を解除することによって前記第１の基板ボックスとは独立して取り外し可能に構成され、他方、前記第１の基板ボックスの取り外しの際の移動に伴い、前記第１の被係合部と前記第１の係合部との係合が解除されるようになっており、かつ前記第１の基板ボックスが取り外された後、前記別の部材に保持可能とされていることを特徴とする基板ボックスの取付構造。
【０００７】
手段１（請求項１の構成）によれば、複数の基板ボックスを互いに対向して配置でき、作業者が保守点検などの作業を行う際に、その対向して配置される第１及び第２の基板ボックスをそれぞれ独立して取り外すことができる構成となる。即ち、従来と異なり、いずれか一方の基板ボックスが他方の基板ボックスによって着脱上の制約（他方の基板ボックスを一旦取り外さなければならない等）を受けにくいため、手間がかからず作業性に優れる。さらに、第２の基板ボックスが、第１の基板ボックスが取り外されるまで第１及び第２の係合部によって両持ち状とされるため、第１の基板ボックスと別の部材とに安定して保持される。
【０００８】
なお、手段１（即ち請求項１）における、「遊技機裏側に設けられた所定の保持部」とは、遊技機裏側において第１の基板ボックスを保持できるように構成される部分であればよい。たとえば、遊技機の裏側において一般的に用いられる所定の部品（機構板、遊技機本体枠、遊技盤など）の一部を「保持部」として構成してもよく、このような一般的な部品に特別な専用部品を取り付けるようにして（例えば、機構板、遊技機本体枠、遊技盤などに特別な保持部品を取り付けるようにして）「保持部」を構成してもよい。
【０００９】
また、手段１における、「遊技機側に支持される当該第１の基板ボックスとは別の部材」とは、遊技機の裏側において所定の部品（機構板、遊技機本体枠、遊技盤など）に取り付けられ、かつ第２の基板ボックスを保持可能な部品であればよく、手段１でいう「保持部」とは別部品として構成されるものでも、同一部品として構成されるものでもよい。
【００１０】
手段２．前記保持部は、前記第１の基板ボックスにおける前記対向面とは反対面を支持する支持部を有し、
前記第１の基板ボックスは、前記支持部と前記第２の基板ボックスによって挟まれて取り付けられる一方、その挟む方向に対し横方向に移動して取り外されるようになっていることを特徴とする手段１に記載の基板ボックスの取付構造。
【００１１】
このように、支持部と第２の基板ボックスとによって第１の基板ボックスを挟むように配置すると、支持部上に第１及び第２の基板ボックスが重畳して配される格好となり、スペース削減効果が高い。さらに、このように重畳しつつも、第２の基板ボックスに覆われた格好となる第１の基板ボックスを横方向に移動して容易に取り外すことができるため作業負担を効果的に削減できる。
【００１２】
手段３．前記第１及び第２の基板ボックスは、前記遊技機の裏面側において当該遊技機の奥行き方向に重畳して配されており、前記第１の基板ボックスが、前記第２の基板ボックスよりも前記遊技機側に位置していることを特徴とする手段１又は手段２に記載の基板ボックスの取付構造。
【００１３】
手段３によれば、奥行きを効果的に利用して基板ボックスを配置できることとなる。また、単に奥行き方向に重ねて配置するだけでは遊技機側の基板ボックスが取り外しにくくなることが懸念されるが、本構成では、遊技機側に配置され、かつ裏側から見た場合に第２の基板ボックスに一部ないし全部が覆われてなる第１の基板ボックスを、奥行き方向と交差する方向に抜き取れる構成としており、第１の基板ボックスを独立してかつ容易に取り外せる。
【００１４】
さらに、手段３の構成に加え、少なくとも第２の基板ボックスについて内部を視認可能な構成（例えば、基板ボックスが透明部材からなる構成や、内部を視認できる窓部が設けられた構成等）としたり、或いは、第２の基板ボックスの外面において当該第２の基板ボックス内に配置される基板を説明する説明表示を設けるようにすれば、遊技機の裏面側を視たときに、手前側に位置する第２の基板ボックスの種類を容易に判別できる構成となる。
【００１５】
手段４．前記第１及び第２の基板ボックスは、前記遊技機の裏面側において当該遊技機の上下方向に重畳して配されていることを特徴とする手段１又は手段２に記載の基板ボックスの取付構造。
【００１６】
手段４によれば、第１の基板ボックスを、上下方向と交差する方向に移動させて着脱できることとなり、上下に移動させにくい場合に有利な構成となる。
【００１７】
さらに、手段４の構成に加え、第１及び第２の基板ボックスをそれぞれ、縦寸法及び横寸法よりも高さ寸法が短くなるように構成し、これら第１及び第２の基板ボックスの高さ方向が前記遊技機の前記上下方向となるように、これら第１及び第２の基板ボックスを重畳して配置する構成とすることができる。このように構成すると、遊技機の裏面側に占める両基板ボックスの設置スペースを節約することが可能となる。
【００１８】
手段５．前記第１及び第２の基板ボックスは、前記遊技機の裏面側に当該遊技機の左右方向に重畳して配されていることを特徴とする手段１又は手段２に記載の基板ボックスの取付構造。
【００１９】
手段５によれば、第１の基板ボックスを、左右方向と交差する方向に移動させて着脱できることとなり、左右に移動させにくい場合に有利な構成となる。
【００２０】
さらに手段５の構成に加え、第１及び第２の基板ボックスをそれぞれ、縦寸法及び横寸法よりも高さ寸法が短くなるように構成し、これら第１及び第２の基板ボックスの高さ方向が前記遊技機の前記左右方向となるように、これら第１及び第２の基板ボックスを重畳して配置する構成とすることができる。このように構成すると、遊技機の裏面側に占める両基板ボックスの設置スペースを節約することが可能となる。
【００２１】
また、手段５の構成に加え以下の構成を付加することもできる。即ち手段５の構成において、第１及び第２の基板ボックスを遊技機本体枠に直接又は他部材を介して間接的に取り付け、第１及び第２の基板ボックスのうち、遊技機本体枠の開放側に位置する基板ボックスについて内部を視認可能な構成（例えば、基板ボックスが透明部材からなる構成や、内部を視認できる窓部が設けられた構成等）としたり、或いは、その開放側に位置する基板ボックスの外面において当該基板ボックス内に配置される基板を説明する説明表示を設けるようにすることができる。このようにすると、遊技機本体枠を全開することなく、遊技機本体枠の開放側に位置する基板ボックスの種類を判別できることとなる。
【００２２】
手段６．前記第１の基板ボックスの取り外し方向が、前記遊技機の左右方向に設定されており、かつ遊技機本体枠の開放端側への移動によって取り外されるように構成されていることを特徴とする手段３または手段４に記載の基板ボックスの取付構造。
【００２３】
手段６によれば、第１の基板ボックスの取り外し作業が効率化する。つまり、パチンコ機などの遊技機は、開閉可能な遊技機本体枠を備えており、作業者は遊技機本体枠を開放させた状態で基板ボックスの取り外し作業などを行うものであるが、手段６によれば、遊技機本体枠の開放端から外部側方へ向けて第１の基板ボックスの取り外し方向が設定されるので、遊技機本体枠を全開することなく第１の基板ボックスを取り外すことができる。
【００２４】
手段７．前記第１の基板ボックスの取り外し方向が、前記遊技機の上下方向に設定されていることを特徴とする手段３または手段５に記載の基板ボックスの取付構造。
【００２５】
手段７によれば、作業者が隣接する他の遊技機との干渉を回避しつつ第１の基板ボックスの取り外し作業を行うことができる。
【００２６】
手段８．前記第１の基板ボックスの取り外し方向が、前記遊技機の奥行き方向に設定されていることを特徴とする手段４または手段５に記載の基板ボックスの取付構造。
【００２７】
手段８によれば、遊技機の外枠などの基板ボックスの周囲（上下左右方向）の部品との干渉を効果的に回避できる構成となる。また、遊技機の裏面側において、基板ボックスの周囲に部品などを配することができるので、基板ボックスの周囲のスペースを有効活用できる。
【００２８】
さらに、手段８のものにおいて、外枠に対し開閉可能に構成される遊技機本体枠に第１及び第２の基板ボックスを取り付け、かつ少なくとも第１基板ボックスの周囲に前記外枠が配置されるような構成とした場合、遊技機がホール設置されていないときに、遊技機本体枠を開放することなく、第１の基板ボックスの取り外し作業を行うことができる構成となる。
【００２９】
手段９．前記第１及び第２の基板ボックスのそれぞれの取り外し方向が、互いに異なる方向に設定されていることを特徴とする手段１ないし手段８のいずれかに記載の基板ボックスの取付構造。
【００３０】
手段９によれば、第１の基板ボックスを取り外すときにその第１の基板ボックスに第２の基板ボックスが追従することがなく、逆に第２の基板ボックスを取り外すときにその第２の基板ボックスに第１の基板ボックスが追従することがないから、互いの取り外し作業を支障なく行うことができる。
【００３１】
手段１０．前記第１及び第２の基板ボックスのぞれぞれの取り外し方向が、互いに逆方向に設定されていることを特徴とする手段１ないし手段８のいずれかに記載の基板ボックスの取付構造。
【００３２】
手段１０によれば、第１及び第２の基板ボックスのうち一方を取り外すときには他方がその取り外し方向に抗する形態となるので、両基板ボックスそれぞれの取り外し作業を円滑に行うことができる。
【００３３】
手段１１．前記第１及び第２の基板ボックスのそれぞれの取り外し方向が、互いに直交する方向に設定されていることを特徴とする手段１ないし手段８のいずれかに記載の基板ボックスの取付構造。
【００３４】
手段１１によれば、機能部品の配設状況などによって第１及び第２の基板ボックスの取り外し方向を逆方向に設定できないようなときでも、逆方向に設定したのと同じように両基板ボックスそれぞれの取り外し作業を円滑に行うことができる。
【００３５】
手段１２．前記第１の基板ボックスを保持する前記保持部と、当該保持部と一体成形されると共に前記第２の被係合部が設けられた連結体とを備えて遊技機側に支持される取付ベースを有し、当該取付ベースによって前記別の部材が構成されており、
前記第２の基板ボックスは、前記第１の基板ボックスと前記連結体とのそれぞれに対し係合可能に構成されていることを特徴とする手段１ないし手段１１のいずれかに記載の基板ボックスの取付構造。
【００３６】
手段１２によれば、保持部と連結体とが一体成形された取付ベースによって「別の部材」を構成しており、部品点数を効果的に削減でき、かつ連結体の強度が確保される構成となる。その結果、第１の基板ボックスを取り外した後、第２の基板ボックスが連結体に安定して保持される。
【００３７】
手段１３．前記第１の基板ボックスを保持する前記保持部と、当該保持部に対し着脱可能に構成されると共に前記第２の被係合部が設けられた連結体とを備えて構成されると共に遊技機側に支持される取付ベースを有し、当該取付ベースによって前記別の部材が構成されており、
前記第２の基板ボックスは、前記第１の基板ボックスと前記連結体とのそれぞれに対し係合可能に構成されていることを特徴とする手段１ないし手段１１のいずれかに記載の基板ボックスの取付構造。
【００３８】
手段１３によれば、連結体が取付ベースに着脱可能に取り付けられるから、連結体の設計変更を行うことのみで取付ベースを複数機種に対して流用可能となる。また、第２の係合部の設計変更などにも迅速に対応することができる。
【００３９】
手段１４．前記第１の基板ボックスを保持する前記保持部を備えて構成されると共に遊技機側に支持される取付ベースと、
当該取付ベースとは異なる部品として遊技機側に支持された機能部品とを備え、
前記別の部材は、前記機能部品、または前記機能部品とは別体として構成され当該機能部品に取り付けられる連結体のいずれか一方の部品からなり、この一方の部品に前記第２の被係合部が形成されており、
前記第２の基板ボックスは、前記第１の基板ボックスと、前記一方の部品とのそれぞれに対し係合可能とされたことを特徴とする手段１ないし手段１１のいずれかに記載の基板ボックスの取付構造。
【００４０】
手段１４によれば、第２の基板ボックスが取付ベースと機能部品とに跨って配されるので、取付ベースと機能部品とを第２の基板ボックスによって安定的に保持できる。なお、ここでいう機能部品は、取付ベース以外の部品であればよい。たとえば、取付ベースが機構板と一体的に構成されるような場合には、この機構板以外の部品（例えば遊技機本体枠や遊技盤等）を機能部品とすることができる。
【００４１】
例えば、手段１４の構成に加えて、取付ベースを機構板に着脱可能に設けるか機構板の一部として構成し、機能部品を遊技機本体枠もしくは遊技盤によって構成するか、遊技機本体枠もしくは遊技盤に取り付けられる機構板とは異なる部品によって構成すると、機構板と、遊技機本体枠もしくは遊技盤との間を第２の基板ボックスによってロックすることができ、機構板と遊技機本体枠もしくは遊技盤との間に何らかの不正な操作が行われることを効果的の抑制ないし防止できる。
【００４２】
手段１５．前記第１の基板ボックスを保持する前記保持部を備えて構成されると共に遊技機側に支持される取付ベースを有する一方、
前記別の部材は、前記取付ベースに対し着脱可能に構成されると共に前記第２の被係合部が設けられた第３の基板ボックスからなり、
前記第２の基板ボックスは、前記第１の基板ボックスと前記第３の基板ボックスとのそれぞれに対し係合可能に構成されていることを特徴とする手段１ないし手段１１のいずれかに記載の基板ボックスの取付構造。
【００４３】
手段１５によれば、別の部材が第３の基板ボックスにより構成されるので、第２の基板ボックスを遊技機側に取り付けるための専用部品を別に設ける必要がない。つまり、別の部材が基板ボックスとしての機能を兼備する。
【００４４】
手段１６．記第１の基板ボックスを保持する前記保持部を備えて構成されると共に遊技機側に支持される取付ベースと、当該取付ベースとは異なる部品として遊技機側に支持された機能部品とを備え、
前記別の部材は、前記機能部品に対し着脱可能に構成されると共に前記第２の被係合部が設けられた第３の基板ボックスからなり、
前記第２の基板ボックスは、前記第１の基板ボックスと前記第３の基板ボックスとのそれぞれに対し係合可能に構成されていることを特徴とする手段１ないし手段１１のいずれかに記載の基板ボックスの取付構造。
【００４５】
手段１６によれば、別の部材が第３の基板ボックスにより構成されるから、第２の基板ボックスを遊技機側に取り付けるための専用部品を別に設ける必要がない。つまり、別の部材が基板ボックスとしての機能を兼備する。また、第２の基板ボックスが取付ベースと機能部品とに跨って配されるので、取付ベースと機能部品とを第２の基板ボックスによって安定的に保持できる。
【００４６】
例えば、手段１６の構成に加えて、取付ベースを機構板に着脱可能に設けるか機構板の一部として構成し、機能部品を遊技機本体枠もしくは遊技盤によって構成するか、遊技機本体枠もしくは遊技盤に取り付けられる機構板とは異なる部品によって構成すると、機構板と、遊技機本体枠もしくは遊技盤との間を第２の基板ボックスによってロックすることができ、機構板と遊技機本体枠もしくは遊技盤との間に何らかの不正な操作が行われることを効果的の抑制ないし防止できる。
【００４７】
手段１７．前記取付ベースは、前記遊技機の裏面側に対して着脱可能に支持されていることを特徴とする手段１２ないし手段１６のいずれかに記載の基板ボックスの取付構造。
【００４８】
手段１７によれば、製造時における組付けが簡略化されるとともに保守点検や機種替えなどの作業が効率化される。
【００４９】
手段１８．前記取付ベースは、遊技機本体枠の裏面側に開閉可能に支持されるとともに、当該遊技機本体枠の裏面側に開閉可能に支持された機構板とは別に構成されていることを特徴とする手段１２ないし手段１７のいずれかに記載の基板ボックスの取付構造。
【００５０】
手段１８によれば、取付ベースが機構板とは別に独立していることから、機構板に制約されない形状をとることができる。また、取付ベースに対する裏面作業が容易となる。
【００５１】
手段１９．前記取付ベースは、遊技機本体枠の裏面側に開閉可能に支持されるとともに、当該遊技機本体枠の裏面側に開閉可能に支持された機構板と一体成形されていることを特徴とする手段１２ないし手段１７のいずれかに記載の基板ボックスの取付構造。
【００５２】
手段１９によれば、取付ベースが機構板と一体成形されているので、基板ボックスと機構板に設けられる部品との配線が効率的となる。つまり、取付ベースが機構板と別に設けられる場合には、双方の壁で二重になり、それぞれに配線用の挿通孔を設ける必要があるが、取付ベースが機構板と一体成形されていれば、壁が一重になるので、それぞれに配線用の挿通孔を設ける必要がなくなる。
【００５３】
手段２０．前記取付ベースの開閉軸は、前記遊技機本体枠の開閉軸の位置する側と同じ側に配されていることを特徴とする手段１８または手段１９に記載の基板ボックスの取付構造。
【００５４】
手段２０によれば、取付ベースと遊技機本体枠のそれぞれの開放側が同じとなるため、開放作業が容易となる。
【００５５】
手段２１．遊技機本体枠の裏面側には機構板が開閉可能に支持され、前記取付ベースは、前記機構板の裏面側に開閉可能に支持されていることを特徴とする手段１２ないし手段１７のいずれかに記載の基板ボックスの取付構造。
【００５６】
手段２１によれば、機構板と取付ベースとを個別に開閉することが可能となる。また、取付ベースに対する裏面作業が容易となる。
【００５７】
手段２２．前記取付ベースの開閉軸は、前記機構板の開閉軸の位置する側と同じ側に配されていることを特徴とする手段２１に記載の基板ボックスの取付構造。
【００５８】
手段２２によれば、取付ベースと機構板のそれぞれの開放側が同じ側となるから、開放作業が容易となる。
【００５９】
手段２３．前記第１の基板ボックスには、ロック受け部が設けられ、前記取付ベースには、前記ロック受け部と係合することで前記第１の基板ボックスの移動を規制するロック部が設けられるとともに、前記ロック部によるロックを解除するための解除操作部が設けられていることを特徴とする手段１７ないし手段２２のいずれかに記載の基板ボックスの取付構造。
【００６０】
手段２３によれば、第１の基板ボックスの移動を規制するロック機構が設けられているため、第１の基板ボックスを取付ベースに安定して保持させることができる。
【００６１】
手段２４．前記取付ベースは、前記遊技機との間に距離を置いて対向する対向壁を備え、前記解除操作部は、その基端部を前記取付ベースの対向壁に接続させた状態で前記遊技機へ向けて突出して形成され、その突出端部を摘み操作することで前記ロック部によるロックが解除可能となっていることを特徴とする手段２３に記載の基板ボックスの取付構造。
【００６２】
手段２４によれば、取付ベースを遊技機から離脱させるか開放させないことには解除操作部の突出端部を摘むことができないので、短時間での第１の基板ボックスの取り外しが困難となり、不正目的による第１の基板ボックスの取り外しを防止できる。
【００６３】
手段２５．前記取付ベースは、前記遊技機の裏面側に開閉可能に支持されており、前記解除操作部は、前記取付ベースの開閉軸の位置する側に配設されていることを特徴とする手段２４に記載の基板ボックスの取付構造。
【００６４】
手段２５によれば、取付ベースを全開もしくは全開に近い態様で開放しない限り解除操作部を解除操作することができないので、短時間での第１の基板ボックスの取り外しが困難となり、不正目的による第１の基板ボックスの取り外しを防止できる。
【００６５】
手段２６．前記ロック部は、前記ロック受け部側に突出して設けられ、前記ロック受け部は、前記第１の基板ボックスにおいて前記ロック部と係合可能なように凹み形成されており、その凹みの底面が閉塞されていることを特徴とする手段２３ないし手段２５のいずれかに記載の基板ボックスの取付構造。
【００６６】
手段２６によれば、ロック受け部とロック部の係合を解除操作部によることなく解除しようとしても、ロック受け部の凹みの底面が閉塞されているので、この底面に向かう方向への解除操作ができなくなり、不正目的による第１の基板ボックスの取り外しを防止できる。
【００６７】
手段２７．前記取付ベースには、前記第１の基板ボックスの取り外し方向に沿って延びる案内部が設けられていることを特徴とする手段１２ないし手段２５のいずれかに記載の基板ボックスの取付構造。
【００６８】
手段２７によれば、第１の基板ボックスを案内部に沿って円滑に取り外すことができる。
【００６９】
手段２８．前記案内部は、前記第１の基板ボックスの両側縁と摺接可能なように一対が対向して配されていることを特徴とする手段２７に記載の基板ボックスの取付構造。
【００７０】
手段２８によれば、第１の基板ボックスが案内部により安定して支持されるので、移動途中に脱落する事態を回避できる。
【００７１】
手段２９．前記取付ベースには、前記第１の基板ボックスの進行方向と対向する位置にあってこの第１の基板ボックスを正規の配設位置で当て止めする規制壁が設けられていることを特徴とする手段２７または手段２８に記載の基板ボックスの取付構造。
【００７２】
手段２９によれば、第１の基板ボックスを規制壁に当て止めさせることで第１の基板ボックスが正規の配設位置に至ったことの検知とされるので、第１の基板ボックスを正規の配設位置に簡単かつ確実に留め置くことができる。
【００７３】
手段３０．前記第１の係合部と前記第１の被係合部のいずれか一方は、第１の突出部として構成され、他方は、前記第１の突出部の貫通を許容する第１の係合孔として構成されることを特徴とする手段１ないし手段２９のいずれかに記載の基板ボックスの取付構造。
【００７４】
手段３０によれば、第２の基板ボックスがねじ部材などの固定手段によることなく第１の基板ボックスと係合可能とされるので、第１の基板ボックスを移動させるにあたってねじ部材を緩めるなどの作業が不要となり、取り外し作業を迅速に行うことができる。
【００７５】
手段３１．前記第１の突出部には、当該第１の突出部の突出方向と直交する方向に張り出す第１のつば部が設けられ、前記第１の係合孔には、前記第１のつば部の貫通を許容する第１の導入部と、前記第１のつば部の貫通を規制する第１の引掛部とが連続して設けられ、前記第１のつば部は、前記第１の引掛部と対応する掛止位置から前記第１の基板ボックスの取り外し方向への移動により前記第１の導入部と対応する解除位置に至るように設定されていることを特徴とする手段３０に記載の基板ボックスの取付構造。
【００７６】
手段３１によれば、第１のつば部が第１の引掛部と対応する掛止位置にあるときに第２の基板ボックスが第１の基板ボックスに外れ止めされる一方、第１のつば部が第１の導入部と対応する解除位置にあるときに第１の基板ボックスが第２の基板ボックスとの係合を解除して取り外し可能とされる。
【００７７】
手段３２．前記第１の突出部には、当該第１の突出部の突出方向と直交する方向に張り出す第１のつば部が設けられ、この第１のつば部は、前記第１の係合孔の孔縁に掛け止めされた状態から前記第１の基板ボックスの取り外し方向への移動により前記第１の係合孔と対応する解除位置に至るように設定されていることを特徴とする手段３０に記載の基板ボックスの取付構造。
【００７８】
手段３２によれば、第１のつば部が第１の係合孔の孔縁に掛け止めされた状態にあるときに第２の基板ボックスが第１の基板ボックスに外れ止めされる一方、第１のつば部が第１の係合孔と対応する解除位置にあるときに第１の基板ボックスが第２の基板ボックスとの係合を解除して取り外し可能とされる。
【００７９】
手段３３．前記第１の突出部には、前記第１の基板ボックスの取り外し方向に沿って傾斜する引き出し案内部が設けられていることを特徴とする手段３０ないし手段３２のいずれかに記載の基板ボックスの取付構造。
【００８０】
手段３３によれば、第１の基板ボックスを取り外し方向に移動させることにより、引き出し案内部が第１の係合孔の孔壁を摺動して乗り上げるため、第１の基板ボックスの取り外し作業を円滑に行うことができる。
【００８１】
手段３４．前記第１の突出部には、前記第１の基板ボックスの取り外し方向とは逆の方向に沿って傾斜する挿入案内部が設けられていることを特徴とする手段３０ないし手段３３のいずれかに記載の基板ボックスの取付構造。
【００８２】
手段３４によれば、第１の基板ボックスを取り付け方向に移動させたときに、挿入案内部が第２の基板ボックスの端縁を摺動して乗り上げ可能なため、第１の基板ボックスの取り付け作業を円滑に行うことができる。
【００８３】
手段３５．前記第２の係合部と前記第２の被係合部のいずれか一方は、第２の突出部として構成され、他方は、前記第２の突出部の貫通を許容する第２の係合孔として構成されることを特徴とする手段１ないし手段３４のいずれかに記載の基板ボックスの取付構造。
【００８４】
手段３５によれば、第２の基板ボックスがねじ部材などの固定手段によることなく別の部材と係合可能とされるので、第２の基板ボックスを取り外す際にねじ部材を緩めるなどの作業が不要となり、取り外し作業を迅速に行うことができる。
【００８５】
手段３６．前記第２の突出部には、当該第２の突出部の突出方向と直交する方向に張り出す第２のつば部が設けられ、前記第２の係合孔には、前記第２のつば部の貫通を許容する第２の導入部と、前記第２のつば部の貫通を規制する第２の引掛部とが連続して設けられ、前記第２のつば部は、前記第２の引掛部と対応する掛止位置から前記第２の基板ボックスが前記第１の基板ボックスとの対向面に沿って取り外し方向に移動することで前記第２の導入部と対応する解除位置に至るように設定されていることを特徴とする手段３５に記載の基板ボックスの取付構造。
【００８６】
手段３６によれば、第２のつば部が第２の引掛部と対応する掛止位置にあるときに第２の基板ボックスが別の部材に外れ止めされる一方、第２のつば部が第２の導入部と対応する解除位置にあるときに第２の基板ボックスが別の部材との係合を解除して取り外し可能とされる。
【００８７】
手段３７．前記第２の突出部には、当該第２の突出部の突出方向と直交する方向に張り出す第２のつば部が設けられ、前記第２のつば部は、前記第２の係合孔の孔縁に掛け止めされた状態から前記第２の基板ボックスが前記第１の基板ボックスとの対向面に沿って取り外し方向に移動することで前記第２の係合孔と対応する解除位置に至るように設定されていることを特徴とする手段３５に記載の基板ボックスの取付構造。
【００８８】
手段３７によれば、第２のつば部が第２の係合孔の孔縁に掛け止めされた状態にあるときに第２の基板ボックスが別の部材に外れ止めされる一方、第２のつば部が第２の係合孔と対応する解除位置にあるときに第２の基板ボックスが別の部材との係合を解除して取り外し可能とされる。
【００８９】
手段３８．前記第２の突出部には、前記第２の基板ボックスの取り外し方向に沿って傾斜する取り外し案内部が設けられていることを特徴とする手段３５ないし手段３７のいずれかに記載の基板ボックスの取付構造。
【００９０】
手段３８によれば、第２の基板ボックスを取り外し方向に移動させることにより、取り外し案内部が第２の係合孔の孔壁を摺動して乗り上げるため、第２の基板ボックスの取り外し作業を円滑に行うことができる。
【００９１】
手段３９．前記第２の突出部には、前記第２の基板ボックスの取り外し方向とは逆の方向に沿って傾斜する装着案内部が設けられていることを特徴とする手段３５ないし手段３８のいずれかに記載の基板ボックスの取付構造。
【００９２】
手段３９によれば、第２の基板ボックスを取り付け方向に移動させたときに、装着案内部が別の部材の端縁を摺動して乗り上げ可能なため、第２の基板ボックスの取り付け作業を円滑に行うことができる。
【００９３】
手段４０．前記第２の基板ボックスには、係止受け部が設けられ、前記別の部材には、前記係止受け部と係合することで前記第２の基板ボックスの移動を規制する係止部が設けられるとともに、前記係止部によるロックを解除するための係止解除部が設けられていることを特徴とする手段１ないし手段３９のいずれかに記載の基板ボックスの取付構造。
【００９４】
手段４０によれば、第２の基板ボックスの移動を規制するロック機構が設けられているため、第２の基板ボックスを別の部材に安定して保持させることができる。
【００９５】
手段４１．前記別の部材は、前記遊技機との間に距離を置いて対向する対向壁を備え、前記係止解除部は、その基端部を前記別の部材の対向壁に接続させた状態で前記遊技機へ向けて突出して形成されており、その突出端部を摘み操作することで前記係止部によるロックが解除可能となっていることを特徴とする手段４０に記載の基板ボックスの取付構造。
【００９６】
手段４１によれば、別の部材を遊技機から離脱させるか開放させないことには係止解除部の突出端部を摘むことができないので、短時間での第２の基板ボックスの取り外しが困難となり、不正目的による第２の基板ボックスの取り外しを防止できる。
【００９７】
手段４２．前記別の部材は、前記遊技機の裏面側に開閉可能に支持されており、前記係止解除部は、前記別の部材の開閉軸の位置する側に配設されていることを特徴とする手段４１に記載の基板ボックスの取付構造。
【００９８】
手段４２によれば、別の部材を全開もしくは全開に近い態様で開放しない限り係止解除部を解除操作することができないので、短時間での第２の基板ボックスの取り外しが困難となり、不正目的による第２の基板ボックスの取り外しを防止できる。
【００９９】
手段４３．前記係止部は、前記係止受け部側に突出して設けられ、前記係止受け部は、前記第２の基板ボックスにおいて前記係止部と係合可能なように凹み形成されており、その凹みの底面が閉塞されていることを特徴とする手段４０ないし手段４２のいずれかに記載の基板ボックスの取付構造。
【０１００】
手段４３によれば、係止受け部と係止部の係合を係止解除部によることなく解除しようとしても、係止受け部の凹みの底面が閉塞されているので、この底面に向かう方向への解除操作ができなくなり、不正目的による第２の基板ボックスの取り外しを防止できる。
【０１０１】
手段４４．前記別の部材と前記第２の基板ボックスのいずれか一方には、双方の対向面の外縁側方を覆う保護部が設けられていることを特徴とする手段４０ないし手段４３のいずれかに記載の基板ボックスの取付構造。
【０１０２】
手段４４によれば、保護部が設けられることにより、別の部材と第２の基板ボックスの双方の対向面間に生じる隙間に対して不正目的で何らかの操作をすることができなくなる。
【発明を実施するための最良の形態】
【０１０３】
＜実施形態１＞
本発明の実施形態１を図１ないし図１３によって説明する。まず、図１を参照して本実施形態を適用した遊技機としてのパチンコ機１の構造を説明する。
パチンコ機１は、外枠２の前面に遊技機本体枠３が開閉可能に取付けられている。遊技機本体枠３には遊技盤７が取付けられており、この遊技盤７の盤面を覆うようにガラス扉枠が着脱かつ開閉可能に装着されている。そして、盤面とガラス扉枠に保持されるガラスとの間で遊技球が流下可能となるように構成されている。そして、遊技盤７の裏面側には機構板４が配設されている。機構板４は、ヒンジからなる開閉軸によって遊技機本体枠３もしくは遊技盤７に開閉可能に装着され、かつ図示しない固定手段によって常には遊技盤７の裏面に密着させた状態で圧接固定されている。
【０１０４】
機構板４は、合成樹脂材により略方形状に形成されており、ほぼ中央部に可変表示装置の後部が臨む窓部８が開設され、該窓部８の後方にはカバー９が配置され、窓部８の上方には賞球を貯留する貯留タンク５が取付けられている。また、貯留タンク５の下方には賞球を整列して導き出すタンクレール６が設けられている。そして、機構板４の下方、つまり窓部８の下方には、複数の基板ボックスの集合体たる基板ボックスユニット１０が取り外し可能に装着されている。以下、この複数の基板ボックスの取付構造を具体的に説明する。なお、基板ボックスユニット１０の上下方向及び左右方向は、図１を基準とする。つまり、パチンコ機１の垂直上方を上側、垂直下方を下側とし、遊技機本体枠３の開閉軸側を右側、開放側を左側とする。
【０１０５】
基板ボックスユニット１０は、図２及び図３に示すように、パチンコ機１の奥行き方向（遊技盤の盤面（遊技球が流下する流下面）と直交する方向）に重畳して配される第１及び第２の基板ボックス２０，４０と、第２の基板ボックス４０に係合して同第２の基板ボックス４０を保持する連結体８０と、この連結体８０と一体成形されるとともに第１の基板ボックス２０を保持してパチンコ機１側に支持される取付ベース６０とを備えている。そして、第２の基板ボックス４０は、パチンコ機１から離れる位置にあって第１の基板ボックス２０と連結体８０とに跨って装着されている。これら基板ボックスユニット１０を構成する部品は、透明もしくは半透明な合成樹脂材により形成され、第１の基板ボックス２０には外部電源が取り込まれる電源基板が被包して収容される一方、第２の基板ボックス４０には賞球の払い出しを制御実行する払出制御基板が被包して収容されている。また、各基板ボックス２０，４０の表面には、内部に収容された基板の種類を示す文字が施されている。なお、電源基板と払出制御基板とは図面では省略してある。
【０１０６】
取付ベース６０は、図９に示すように、遊技機本体枠３と間隔を置いて対向する横長方形状の対向壁６０Ａを備え、この対向壁６０Ａが、遊技機本体枠３を左右方向ほぼ全域に亘って横断可能に配設されている。また、取付ベース６０は、機構板４の下方にこの機構板４とは別に構成されており、その右側の側縁にはヒンジ部（図示せず）が取付けられ、ヒンジ部を支点として遊技機本体枠３に対し開閉可能となっている。一方、取付ベース６０の左側の側縁には固定用クリップ（図示せず）を貫通させる固定孔６１を備えた固定部６２が沿設され、この固定部６２の固定孔６１から遊技機本体枠３の裏面に差し込まれる固定用クリップによって取付ベース６０が遊技機本体枠３の裏面に固定されるようになっている。  連結体８０は、取付ベース６０の対向壁６０Ａにおける右側領域から突出して設けられ、その突出端面が第２の基板ボックスと係合可能とされている。取付ベース６０の対向壁６０Ａにおける左側領域には、第１の基板ボックス２０を取付け保持するとともに同第１の基板ボックス２０を左端外方へ引き出し可能とした基板ボックス引き出し部６３が設けられている。本実施形態では、基板ボックス引き出し部６３が請求項でいう「保持部」に相当する。
【０１０７】
基板ボックス引き出し部６３は、取付ベース６０の全長の概ね４分の３程度の長さを有するとともに、その上辺が対向壁６０Ａにおける右側領域の上辺と段付き状に連なり、第１の基板ボックス２０の形状、大きさに対応している。そして、基板ボックス引き出し部６３の上下両端縁には一対のレール部６４（本発明の案内部に相当）が設けられている。各レール部６４は、互いに平行に対向して配されており、第１の基板ボックス２０の両側縁に摺接可能とされている。これにより、第１の基板ボックス２０は、各レール部６４に支持された状態で各レール部６４の延び方向で、かつ取付ベース６０との対向面に沿う方向に摺動し、取付ベース６０の右端から左端外方へ移動することで取り外し可能とされる一方、左端から右端内方へ移動することで取り付け可能とされる。
【０１０８】
また、各レール部６４の右端には上下に縦断する形態の規制壁６５が連なって設けられている。基板ボックス引き出し部６３は、規制壁６５と各レール部６４とが取り囲むことで取付ベース６０の左端に開口する凹所６３Ａを含み、この凹所６３Ａの底面に相当する部分が対向壁６０Ａにおける右側領域よりも遊技機本体枠３側に窪んだ位置に設定されている。規制壁６５は、第１の基板ボックス２０の取り付け時に、第１の基板ボックス２０の進行方向に対向して第１の基板ボックス２０を当て止め可能としてあり、またその当て止め位置が第１の基板ボックス２０の正規の配設位置とされている。なお、本実施形態では、凹所６３Ａの底部が手段２でいう「支持部」に相当している。
【０１０９】
そして、規制壁６５には第１の基板ボックス２０の取り付けにともないその進行方向の先端縁に設けられた突片２１の挿入を許容する突片挿通口６６が設けられている。突片挿通口６６は、規制壁６５の上下方向の両端２位置に縦長方形状に開口して形成され、これと対応するよう、突片２１は、第１の基板ボックス２０の先端縁における上下方向の両端２位置に対向面に沿う方向に突出して形成されている。突片２１の突片挿通口６６への挿入により、第１の基板ボックス２０の取付ベース６０からの離脱が規制され、ここでの固着手段の廃止が可能とされる。
【０１１０】
第１の基板ボックス２０の取付ベース６０への固着は、基板ボックス引き出し部６３の左側の２隅に螺設されたねじ孔６７を介して行われる。ねじ孔６７は、遊技機本体枠３側に窪むとともに左端に開口する平面視して略Ｕの字状をなす段付き凹部６８に設けられている。段付き凹部６８には第１の基板ボックス２０の取り付けにともない第１の基板ボックス２０のボス部２２（図１２参照）が嵌入するようになっており、またこの嵌入によって第１の基板ボックス２０のボス部２２の筒孔とねじ孔６７とが連通し、そこにビス９０（図３参照）をねじ込むことにより、第１の基板ボックス２０が取付ベース６０に固着されるようになっている。
【０１１１】
続いて、取付ベース６０の対向壁６０Ａにおける右側領域の構造について説明する。取付ベース６０の対向壁６０Ａにおける右側領域には、既述したように、連結体８０が一体成形されている。連結体８０は、第１の基板ボックス２０の奥行き寸法に対応する突出寸法をもって第２の基板ボックス４０へ向けて突出して設けられている。具体的には連結体８０は、有底角筒状をなし、内部が中空となって遊技機本体枠３側へ開口して設けられている。連結体８０において遊技機本体枠３側と間隔を置いて対向する対向壁８０Ａは、第２の基板ボックス４０に対して互いの対向面を密着させた状態で当接可能とされており、この連結体８０の対向壁８０Ａの中央部には第２の基板ボックス４０の移動を規制可能な係止部８１が設けられている。
【０１１２】
係止部８１は、図９及び図１０に示すように、連結体８０の対向壁８０Ａに設けられたコの字形の切り込み８３により、その切り込み８２間で片持ち状に弾性撓み可能となっており、左端部を撓み支点として左右方向に延設されている。係止部８１の延出端には第２の基板ボックス４０側へ向けて突出する係止突起８２が設けられ、この係止突起８２が第２の基板ボックス４０に設けられた係止受け部４１に弾性的に嵌り込むようになっている。
【０１１３】
第２の基板ボックス４０が連結体８０との対向面に沿って右側から左側へ移動すると、係止部８１が遊技機本体枠３側に撓み変形して第２の基板ボックス４０の通過を許容する。第２の基板ボックス４０が正規の配設位置に至ると、係止部８１が弾性復帰して係止突起８２が係止受け部４１に嵌り込み、もって第２の基板ボックス４０が右側へ移動（取り外し方向へ移動）するのが規制される。このとき、第２の基板ボックス４０は、後述するように、第２の係合部４０Ａと第２の被係合部８０Ｂの係合によって連結体８０の対向壁８０Ａに外れ止めされるので、連結体８０に取り付け保持されることになる。
【０１１４】
係止部８１の係止突起８２には、第２の基板ボックス４０の左側への移動（取り付け方向への移動）に沿って斜めとなった装着案内面８２Ａが設けられている。装着案内面８２Ａに第２の基板ボックス４０の対向面が摺動することで第２の基板ボックス４０が円滑に取り付けられるようになっている。
また、係止部８１の延出端には係止突起８２の突出方向とは逆向きの遊技機本体枠３側へ突出する係止解除部８４が一体成形されている。係止解除部８４は、連結体８０の中空領域に臨んで取付ベース６０側からの解除操作のみを許容し、不正な解除操作を禁止した構成となっている。係止解除部８４の突出端部には、略Ｌの字形に曲げられた摘み部８５が一体成形されている。作業者は、取付ベース６０を開放させた後、連結体８０の中空領域に手指を進入させ、摘み部８５を摘み操作して係止解除部８４を傾動させることにより、係止部８１を遊技機本体枠３側へ弾性的に引き寄せてロックの解除を行うようになっている。
【０１１５】
また、連結体８０には第２の被係合部８０Ｂが設けられる一方、第２の基板ボックス４０には第２の被係合部８０Ｂと係合可能な第２の係合部４０Ａが設けられており、第２の基板ボックス４０が取り外されるときにはその移動にともない第２の被係合部８０Ｂと第２の係合部４０Ａの係合が解除されるようになっている。具体的には第２の被係合部８０Ｂは、連結体８０の対向壁８０Ａにおいて係止部８１を境とする上下対称２位置に配され、第２の基板ボックス４０に設けられた第２の突出部４２の貫通を許容する第２の係合孔８６として構成されている。さらに、第２の係合孔８６は、図１０に示すように、右側にあって幅広に開口する第２の導入部８７と左側にあって幅狭に開口する第２の引掛部８８とにより構成され、それぞれが上下方向の中央を境として対称形となっている。
【０１１６】
続いて、第２の基板ボックス４０の構造を説明する。第２の基板ボックス４０は、図１１に示すように、払出制御基板を収容可能なボックスベース４４と、そのボックスベース４４に覆設されるボックスカバー４５とを備え、ボックスベース４４とボックスカバー４５とを互いに重ね合わせて合致させることにより、払出制御基板が被包されるようになっている。
【０１１７】
ボックスベース４４は、払出制御基板が載置される方形平板状の底板４６を備え、この底板４６が払出制御基板の半田面と間隔を空けて対面可能とされ、底板４６の右側領域にて連結体８０の対向壁８０Ａと、底板４６の左側領域にて第１の基板ボックス２０と、それぞれ密接可能とされている。底板４６の４隅にはボックスカバー４５側へ向けて図示しないボス部が立てられており、各ボス部にはボックスベース４４にボックスカバー４５をねじ止めするためのビスをねじ込み可能としたねじ孔が螺設されている。
【０１１８】
ボックスカバー４５は、払出制御基板の部品面と対面可能とされ、ボックスベース４４に覆設される天板４９を備えている。天板４９の上下方向の両端部には配線凹部５０が凹み形成され、この配線凹部５０には払出制御基板に接続される配線コードが導出されるようになっている。配線凹部５０の底面には複数のコネクタ口５１が開口して設けられ、このコネクタ口５１には払出制御基板の部品面に搭載された図示しないコネクタが嵌挿されるようになっている。コネクタは、コネクタ口５１から一部露出した状態で配され、基板側と機器側とを中継して双方の導通をとっている。
【０１１９】
また、ボックスカバー４５の天板４９の４隅にはボックスベース４４のねじ孔に対応する通し孔５２が穿設されている。ボックスカバー４５をボックスベース４４に合致させた状態でビス９１が通し孔５２からねじ孔にかけて螺進されることにより、ボックスカバー４５が電源基板とともにボックスベース４４に固着されるようになっている。
【０１２０】
続いて、第２の基板ボックス４０の保持構造を具体的に説明する。底板４６の右側領域のうち連結体８０の係止突起８２と対応する位置には、図１０に示すように、係止受け部４１が設けられている。係止受け部４１は、縦長の方形状をなす開口をもって底板４６に凹み形成されており、その凹みの底面が閉塞されている。第２の基板ボックス４０を取り付ける際に、第２の基板ボックス４０が連結体８０との対向面に沿って右側から左側へ移動して正規の配設位置に至ると、係止突起８２が係止受け部４１に弾性的に嵌り込む。このとき、係止突起８２が係止受け部４１の開口縁のうち左側の縁部４１を係止して第２の基板ボックス４０の取り外し方向への移動を規制可能となっている。
【０１２１】
また、底板４６の右側領域のうち連結体８０の第２の係合孔８６と対応する位置には、第２の係合部４０Ａを構成する第２の突出部４２が設けられている。具体的には第２の突出部４２は、連結体８０側へ向けて突出するとともに、その突出端に軸直交方向に張り出す第２のつば部４３を備えて構成され、全体として略Ｌの字形をなしている。第２の突出部４２は、連結体８０の第２の係合孔８６を貫通し得る突出寸法で、かつ、第２の引掛部８８の孔縁に掛け止め可能な突条として設けられている。
【０１２２】
第２の突出部４２の右側の端縁は、第２の基板ボックス４０が連結体８０との対向面に沿って左側から右側へ移動するときの、その移動方向に沿って傾斜する取り外し案内部４２Ａ（図５参照）となっており、第２の基板ボックス４０の取り外し時にはここに第２の係合孔８６の孔縁が摺動して第２の基板ボックス４０が円滑に取り外されるようになっている。なお、本実施形態には設けられていないが、第２の突出部４２の左側の端縁に、第２の基板ボックス４０が連結体８０との対向面に沿って右側から左側へ移動するときの、その移動方向に沿って傾斜する装着案内部を設けてもよい。こうすると、第２の基板ボックス４０を取り付け方向に移動させたときに、装着案内部が連結体８０の右側の端縁を摺動して乗り上げ可能なため、第２の基板ボックス４０を円滑に取り付けることが可能となる。
【０１２３】
ここで、第２のつば部４３は、幅方向外向きに張り出す形態であることに起因して第２の導入部８７には貫通可能とされるものの第２の引掛部８８には貫通規制されるものである。よって、第２のつば部４３の第２の係合孔８６に対する挿通は第２の導入部８７を通して行われるが、第２のつば部４３は、第２の導入部８７を貫通したあと第２の基板ボックス４０の左側への移動（取り付け方向への移動）により、図５に示すように、連結体８０の対向壁８０Ａにおける第２の引掛部８８の孔周りに掛け止めされる。第２の基板ボックス４０は、この第２のつば部４３による掛止作用に基づいて連結体８０からの脱落が阻止される。一方、第２のつば部４３は、第２の基板ボックス４０の右側への移動（取り外し方向への移動）により第２の導入部８７と対応する位置に至ることで前記係合が解除される。これにより、第２の基板ボックス４０は、連結体８０から取り外し可能とされる。なお、第２の基板ボックス４０の右側への移動（取り外し方向への移動）は、係止部８１と係止受け部４１とによる係止が解除されていることが前提となるため、前もって係止解除部８４を解除操作しておく必要があり、第２の基板ボックス４０が不用意に取り外し方向へ移動することはない。
【０１２４】
続いて、第２の基板ボックス４０の第１の基板ボックス２０に対する係合構造を説明する。底板４６の左側領域は、第１の基板ボックス２０と対向しており、その対向面に、図１３に示すように、上記の第２の係合部４０Ａとほぼ同じ形態をなす第１の係合部４０Ｂが設けられている。この第１の係合部４０Ｂは、第１の基板ボックス２０に設けられた第１の被係合部２０Ａと係合可能とされている。具体的には第１の係合部４０Ｂは、底板４６の左側領域における上下方向の両端寄りの２位置において第１の基板ボックス２０側へ向けて突出する第１の突出部４８として構成され、その突出端に軸直交方向に張り出す第１のつば部４７が設けられている。
【０１２５】
第１の突出部４８の右側の端縁は、第１の基板ボックス２０が第２の基板ボックス４０との対向面に沿って右側から左側ヘ向けて移動するときの、その移動方向に沿って傾斜する引き出し案内部４８Ａ（図５参照）となっている。第１の基板ボックス２０の取り外し時には、この引き出し案内部４８Ａに第１の基板ボックス２０の第１の係合孔２３の孔縁が摺動して第１の基板ボックス２０が円滑に取り外されるようになっている。また、第１の突出部４８の左側の端縁は、第１の基板ボックス２０が第２の基板ボックス４０との対向面に沿って左側から右側ヘ向けて移動するときの、その移動方向に沿って傾斜する挿入案内部４８Ｂ（図８参照）となっている。第１の基板ボックス２０の取り付け時には、この挿入案内部４８Ｂに第２の基板ボックス４０の左側の端縁が摺動可能となって第１の基板ボックス２０が円滑に取り付けられるようになっている。
【０１２６】
一方、第１の被係合部２０Ａは、図１３に示すように、第１の基板ボックス２０における第１の突出部４８と対応する位置に、この第１の突出部４８の貫通を許容する第１の係合孔２３として構成されている。第１の係合孔２３は、連結体８０に設けられた第２の係合孔８６と同形、同大の関係にあり、右側にあって幅広に開口する第１の導入部２４と左側にあって幅狭に開口する第１の引掛部２５とにより構成されている。
【０１２７】
ところで、第１のつば部４７は、幅方向外向きに張り出す形態であることに起因して第１の係合孔２３の第１の導入部２４には貫通可能とされるものの第１の引掛部２５には貫通規制されるものである。よって、第１のつば部４７の第１の係合孔２３への挿通は第１の導入部２４を通して行われる。第１のつば部４７は、第１の導入部２４を貫通したあと第１の基板ボックス２０の対向面に沿った右側への移動（取り付け方向への移動）により第１の基板ボックス２０の対向面の裏面における第１の引掛部２５の孔周りに掛け止めされる。第２の基板ボックス４０は、この第１のつば部４７による掛止作用に基づいて第１の基板ボックス２０からの脱落が阻止されるようになっている。一方、第１のつば部４７は、第１の基板ボックス２０の左側への移動（取り外し方向への移動）により、図５に示すように、第１の導入部２４と対応する位置に至ることで第１の引掛部２５の孔周りとの係合が解除される。これにより、第２の基板ボックス４０は、第１の基板ボックス２０から取り外し可能とされる。
【０１２８】
第２の基板ボックス４０は、第１の基板ボックス２０が移動する間、第１の突出部４８と第１の基板ボックス２０との間の摺動に基づき、図５及び図６に示すように、第２の係合部４０Ａを支点として外側に少し開放された状態となる。このとき、第１の突出部４８の引き出し案内部８Ａが、第１の基板ボックス２０の取り外し時における第２の基板ボックス４０の開き動作を誘導することになり、また、第１の突出部４８の挿入案内面４８Ｂが、第１の基板ボックス２０の挿入時における第２の基板ボックス４０の開き動作を誘導することになる。
【０１２９】
続いて、第１の基板ボックス２０の構造を説明する。第１の基板ボックス２０は、図１２に示すように、電源基板を収容可能なベース部２６と、そのベース部２６に覆設されるカバー部２７とを備え、ベース部２６とカバー部２７とを互いに重ね合わせて合致させることにより、電源基板が被包されるようになっている。
【０１３０】
ベース部２６は、全体として方形平板状をなし、電源基板の半田面と対面可能とされている。ベース部２６の左側の２隅には取付ベース６０側へ向けて突出するボス部２２が設けられ、このボス部２２が取付ベース６０の段付き凹部６８に嵌入可能となっている。ベース部２６の右側の側縁における上下方向の両端寄りの２位置には突片挿通口６６と係合可能な突辺２１が設けられている。また、カバー部２７は、内側で電源基板の部品面と対向してベース部２６を覆蓋するとともに外側で第２の基板ボックス４０の対向面と密接可能とされた方形板状の天板２８を備え、天板２８の長さ方向の中央部で、かつ幅方向の両端寄りの２位置に、第１の係合孔２３が設けられている。
【０１３１】
カバー部２７における天板２８の４辺からは側板２９が立ち上げ形成され、側板２９のうち第１の基板ボックス２０の移動方向と直交する方向に対向して配された両側板２９には放熱孔３０が露出して設けられている。この放熱孔３０は、長さ方向に一定の間隔を空けて多数配され、奥行き方向に長手の長孔として構成されている。放熱孔３０が両側板２９に露出して設けられることにより、電源基板に搭載された電子部品から発生した熱を放熱孔３０から効率よく放散させることが可能となっている。
【０１３２】
また、カバー部２７の両側板の突出端縁には弾性係止片３３が設けられ、弾性係止片３３の中央部には係止孔３４が設けられている。弾性係止片３３は、１対の割り溝３５間で撓み可能となっており、両側板２９のそれぞれに１対ずつ合計４つ設けられている。これと対応するベース部２６の両端縁には係止突部３７が設けられており、弾性係止片３３が係止孔３４に係止突部３７を弾性的に嵌め入れることにより、カバー部２７がベース部２６に取り付け可能となっている。
【０１３３】
カバー部２７の左側の２隅においてベース部２６のボス部２２と対応する位置には通し孔３８が設けられている。カバー部２７をベース部２６に合致させた状態で、ビス９０を通し孔３８からボス部２２の筒孔を通して取付ベース６０のねじ孔６７にねじ込むことにより、カバー部２７が払出制御基板とともにベース部２６に固定され、かつ第１の基板ボックス２０の全体が取付ベース６０に固定されるようになっている。なお、通し孔３８は、外部に露出して設けられているため、第２の基板ボックス４０の存在が固定作業の支障となることがない。
【０１３４】
次に、本実施形態の作用を説明する。まず、第２の基板ボックス４０を取付ベース６０に保持させるには、第２の基板ボックス４０の底板４６の左側領域を連結体８０の対向壁８０Ａに重ね合わせ、第２の基板ボックス４０の第２の突出部４２を第２の導入部８７に貫通させる。そして、第２の基板ボックス４０を右側から左側へ互いの対向面に沿って摺動させ、第２の突出部４２を第２の引掛部８８との対応位置に至らしめ、第２のつば部４３を第２の引掛部８８の孔周りに当接させる。この状態で、第２のつば部４３が連結体８０の対向壁８０Ａの裏面側に掛け止められ、第２の基板ボックス４０の連結体８０からの脱落が阻止される。さらに第２の基板ボックス４０を左側へ摺動させ、第２の基板ボックス４０を正規の配設位置に至らしめる。すると、図４に示すように、係止部８１の係止突起８２が係止受け部４１に弾性的に嵌り込み、第２の基板ボックス４０の移動が規制される。
【０１３５】
続いて、取付ベース６０及び第２の基板ボックス４０の両対向面間に第１の基板ボックス２０を差し入れる。それには、まず図７に示すように、第１の基板ボックス２０を取付ベース６０のレール部６４に係合支持させ、その状態で第１の基板ボックス２０をレール部６４に沿って内方へ摺動させる。第１の基板ボックス２０の進行途中で第２の基板ボックス４０は、第２の係合部４０Ａを支点として外側に少し開放された状態となる。第１の基板ボックス２０が正規の配設位置に至ると、図４に示すように、第１の基板ボックス２０の突片２１が取付ベース６０の規制壁の突片挿通口６６に挿通されてこの位置での第１の基板ボックス２０の外れ止めがなされるとともに、第１の基板ボックス２０のボス部２２の筒孔に取付ベース６０のねじ孔６７が整合して両孔が連通する。この両孔に第１の基板ボックス２０のカバー部２７の通し孔３８からビス９０をねじ込むことにより、第１の基板ボックス２０を取付ベース６０に固定する。
【０１３６】
ところで、第１の基板ボックス２０の取り付けが完了する直前に、第１の基板ボックス２０の第１の導入部２４に第２の基板ボックス４０の第１の突出部４８が貫通することにより、第２の基板ボックス４０が元姿勢に復元される。その後、第１の基板ボックス２０が正規の配設位置に至ると、第２の引掛部２５の孔周りに第１のつば部４７が当接する。この状態では、第１のつば部４７が第１の基板ボックス２０の裏面側に掛け止められて第２の基板ボックス４０が第１の基板ボックス２０から脱落するのが阻止される。かくして、第２の基板ボックス４０は、第１の基板ボックス２０と連結体８０とにより両持ち状とされ、双方に安定して保持される。
【０１３７】
ここで、例えば保守点検時や機種替え時に、第１及び第２の両ボックス２０，４０のうち第１の基板ボックス２０のみを取り外すときには、遊技機本体枠３を開放するとともに取付ベース６０を開放し、第１の基板ボックス２０を取付ベース６０に固定していたビス９０を緩めて外した後、第１の基板ボックス２０を左側へ向けて引き出す。これにより、第１の基板ボックス２０を第２の基板ボックス４０との対向面に沿う方向に移動させ、基板ボックスユニット１０から取り外す。取り外しの過程で、第２の基板ボックス４０は再び外側に開放された状態となるが、このとき、図５に示すように、第１の突出部４８の引き出し案内部４８Ａが第１の係合孔２３の孔縁と摺動しつつ第１の基板ボックス２０の対向面に乗り上げられるから、第１の基板ボックス２０の取り外し動作の支障となることはない。
【０１３８】
また、第１の基板ボックス２０の取り外し方向がパチンコ機１の左右方向に設定されているため、第１の基板ボックス２０の取り外し作業が効率的となる。つまり、遊技機本体枠３の開放端から外部側方へ向けて第１の基板ボックス２０の取り外し方向が設定されるので、遊技機本体枠３を全開することなく、第１の基板ボックス２０を取り外すことができる。もっとも、第１の基板ボックス２０の取り外し方向をパチンコ機１の上下方向に設定することも可能である。その場合には、作業者が隣接するパチンコ機１との干渉を回避しつつ第１の基板ボックス２０の取り外し作業を行うことができるというメリットがある。
【０１３９】
一方、第２の基板ボックス４０を取り外すには、取付ベース６０を開放して取付ベース６０の裏側から手指もしくは冶具などを差し入れる。そして、係止解除部８４の摘み部８５を摘み操作してロックを外し、その状態で第２の基板ボックス４０を右側へ向けて移動させる。すると、係止突起８２が係止受け部４１から抜け出るとともに、第２のつば部４３が第２の貫通部８７と対応する位置に至り、もって第２の基板ボックス４０が取り外し可能となる。
【０１４０】
以上のように本実施形態によれば、パチンコ機１の奥行き方向に重畳して配された第１及び第２の基板ボックス２０，４０のうち第１の基板ボックス２０を第２の基板ボックス４０との対向面に沿う方向に移動させることにより、該第１の基板ボックス２０のみを独立して取り外せるようにしているため、従来と異なり、前もって第２の基板ボックス４０を取り外しておく必要がなく、手間がかからず作業性に優れる。この場合、第２の基板ボックス４０は、第１の基板ボックス２０が取り外された後、連結体８０に保持可能とされているため、基板ボックスユニット１０から脱落することはない。そして、第１の基板ボックス２０は、一対のレール部６４に案内支持された状態で取り外されるので、移動途中で取付ベース６０から脱落することもない。
【０１４１】
また、第１及び第２の基板ボックス２０，４０のそれぞれの取り外し方向が互いに異なる方向に設定されているため、第１の基板ボックス２０を取り外すときにその第１の基板ボックス２０に第２の基板ボックス４０が追従することがなく、逆に第２の基板ボックス４０を取り外すときにその第２の基板ボックス４０に第１の基板ボックス２０が追従することがない。特に、本実施実施形態の場合、第１及び第２の基板ボックス２０，４０のそれぞれの取り外し方向が互いに逆方向に設定されているので、両基板ボックス２０，４０のうちの一方を取り外すときには他方がその取り外し方向に抗する形態となり、両基板ボックス２０、４０それぞれの取り外し作業を一層円滑に行うことができる。なお、構造上の制約などにより、第１及び第２の基板ボックス２０，４０の取り外し方向が逆方向に設定できないこともあるが、その場合には、第１及び第２の基板ボックス２０，４０のそれぞれの取り外し方向が互いに直交する方向（本実施形態の場合、左右方向と上下方向）に設定されるとよい。こうすると、逆方向に設定したのと同じような追従防止効果が得られるからである。
【０１４２】
また、連結体８０と取付ベース６０とが一体成形されているため、連結体８０の強度が確保される。その結果、第２の基板ボックス４０が連結体８０に安定して保持されることになる。もっとも、連結体８０は取付ベース６０に対して着脱可能に取り付けられていてもよく、その場合には、連結体８０の設計変更を行うことのみで取付ベース６０の複数機種への流用が可能となり、且つ、第２の係合部４０Ａの設計変更などにも迅速に対応できるというメリットがある。
【０１４３】
また、取付ベース６０が遊技機本体枠３の裏面側に開閉可能に支持されるとともに、機構板４の下方において機構板４とは別に構成されているため、機構板４に制約されない形状をとることが可能となる。そして、取付ベース６０の開閉軸が遊技機本体枠３の位置する側と同じ側に配されているので、取付ベース６０と遊技機本体枠３のそれぞれの開放側が同じとなり、開放作業が容易となる。
【０１４４】
また、取付ベース６０を遊技機本体枠３の裏面側に開閉可能に支持させることにより、取付ベース６０の裏面側つまりパチンコ機１に対向する面側にロック機構などの裏面作業可能な領域を形成できるので、取付ベース６０の裏面作業が容易となる。
【０１４５】
また、係止解除部８４がその基端部を連結体８０の対向壁８０Ａに接続させた状態でパチンコ機１側へ向けて突出して形成され、その突出端部に設けられた摘み部８５を摘み操作することでロックの解除が可能となっているので、取付ベース６０を開放させないことには係止解除部８４の摘み部８５を摘み操作することができなくなる。その結果、短時間での第２の基板ボックス４０の取り外しが困難となり、不正目的による第２の基板ボックス４０の取り外しを防止できる。
【０１４６】
また、係止解除部８４が取付ベース６０の開閉軸の位置する側となる右側領域に配設されているので、取付ベース６０を全開もしくは全開に近い態様で開放しない限り係止解除部８４を解除操作することができなくなり、短時間での第２の基板ボックス４０の取り外しが一層困難となる。
【０１４７】
また、係止受け部４１が第２の基板ボックス４０における連結体８０との対向面に凹み形成され、その凹みの底面が閉塞されているので、この底面に向かう方向への解除操作によっては係止部８１と係止受け部４１の係止を解除することができず、不正目的による第２の基板ボックス４０の取り外しをより有効に防止できる。この結果、第２の基板ボックス４０に収容された払出制御基板に対する不正な改変行為を阻止できる。
【０１４８】
また、第１の基板ボックス２０は、規制壁６５に当て止めされることで正規の配設位置に至ったことの検知とされるから、その正規の配設位置に簡単かつ確実に留め置かれる。そして、規制壁６５の突片挿通口６６に第１の基板ボックス２０の突片２１が挿通されるから、第１の基板ボックス２０の取付ベース６０からの離脱が規制されてここでの固定手段を一部廃止できる。
【０１４９】
また、第２の基板ボックス４０は、常には第１のつば部４７による掛止作用によって第１の基板ボックス２０からの離脱が規制される掛止位置にある一方、第１の基板ボックス２０の取り外し方向への移動にともない第１のつば部４７が第１の導入部２４に対応する解除位置に至ることで第１の基板ボックス２０から離脱可能とされるので、第１の基板ボックス２０の移動に合わせて係合の維持と解除の切り換えを行うことができ、操作性に優れる。同じく、第２の基板ボックス４０は、常には第２のつば部４３による掛止作用によって連結体８０からの離脱が規制される掛止位置にある一方、自身の取り外し方向への移動にともない第２のつば部４３が第２の導入部８７に対応する解除位置に至ることで連結体８０から離脱可能とされるので、上記同様、操作性に優れる。
【０１５０】
＜実施形態２＞
図１４は、本発明の実施形態２を示す。実施形態２は、連結体８０と第２の基板ボックス４０の対向面間に生じる隙間に対して不正な操作が行われないような構成とされている。その他は、実施形態１と同様であるので、重複する説明は省略する。
【０１５１】
すなわち、実施形態２では、第２の基板ボックス４０に、同第２の基板ボックス４０と連結体８０の双方の対向面の外縁側方を覆う形態の保護部１０１が設けられている。詳しくは保護部１０１は、第２の基板ボックス４０の対向面の外縁から連結体８０の対向面の外縁側方を覆うように張り出し形成されている。
【０１５２】
実施形態２によれば、連結体８０と第２の基板ボックス４０の双方の対向面間に生じる隙間の側方周りが保護部１０１により取り囲まれて保護されることになる。したがって、連結体８０と第２の基板ボックス４０の双方の対向面間に生じる隙間に対して不正目的で係止部８１と係止受け部４１とによる係止を解除操作しようとしても、その操作方向と対向する位置に保護部１０１が存することになるので、そのような不正な操作が阻止される。
【０１５３】
＜実施形態３＞
図１５の（Ａ）及び（Ｂ）は本発明の実施形態３を示す。実施形態３は、第１の係合部４０Ｂと第１の被係合部２０Ａの構造が実施形態１と異なるが、その他は実施形態１と同様である。
【０１５４】
すなわち、実施形態３では、第１の突出部４８Ｅが第２の基板ボックス４０から突出して設けられるとともに、第１のつば部４７Ｆが第１の突出部４８Ｅの突出端から第１の基板ボックス２０の取り外し方向となる左側へ向けて張り出して設けられ、これに対応する第１の係合孔２３Ａは、全体として略方形状に開口して設けられ、第１の突出部４８Ｅの貫通を可能としてある。
【０１５５】
実施形態３によれば、第１のつば部４７Ｆは、図１５の（Ａ）に示すように、第１の係合孔２３Ａと対応する位置から同第１の係合孔２３Ａに貫通され、第１の基板ボックス２０を対向面に沿って取り付け方向へ向けて摺動させることにより、図１５の（Ｂ）に示すように、第１の基板ボックス２０の裏面側に掛け止められる。これにより、第２の基板ボックス４０が第１の基板ボックス２０から離脱するのが規制される。そして、この状態で、第１の基板ボックス２０を第２の基板ボックス４０との対向面に沿って取り外し方向へ向けて摺動させることにより、第１の係合孔２３Ａと対応する解除位置に至らしめ、第１のつば部４７Ｆと第１の係合孔２３Ａとの係合を解除する。これにより、第２の基板ボックス４０が第１の基板ボックス２０から離脱可能とされる。
【０１５６】
なお、第１の突出部４８Ｅには実施形態１と同様の態様で引き出し案内部８Ａや挿入案内面４８Ｂが設けられていても構わない。また、連結体８０と第２の基板ボックス４０との間に設けられた第２の係合部４０Ａと第２の被係合部８０Ｂも、上記同様の構成として構わない。
【０１５７】
＜実施形態４＞
図１６は、本発明の実施形態４を示す。実施形態４では、取付ベース６０と第１の基板ボックス２０に同第１の基板ボックス２０の移動を規制するロック構造が設けられている。
【０１５８】
すなわち、第１の基板ボックス２０にはロック受け部１１１が設けられ、取付ベース６０には、ロック受け部１１１と係合して第１の基板ボックス２０をロックするロック部１１２が設けられるとともに、このロック部１１２によるロックを解除するための解除操作部１１３が設けられている。ロック受け部１１１は、実施形態１の係止受け部４１とほぼ同じ形態をなし、第１の基板ボックス２０における取付ベース６０との対向面に凹み形成され、その凹みの底面が閉塞されている。
【０１５９】
一方、ロック部１１２は、実施形態１の係止部８１とほぼ同じ形態をなし、取付ベース６０において遊技機本体枠３と距離を置いて対向する対向壁６０Ｔに設けられたコの字形の切り込みにより、その切り込み間で片持ち状に弾性撓み可能となっており、右端部を撓み支点として左右方向に延設されている。ロック部１１２の延出端には第１の基板ボックス２０側へ向けて突出するロック突起１１４が設けられており、このロック突起１１４がロック受け部１１１に弾性的に嵌り込むようになっている。
【０１６０】
また、解除操作部１１３は、ロック部１１２と一体に連続する態様で同ロック部１１２の延出端から遊技機本体枠３側へ向けて突出して設けられている。解除操作部１１３は、取付ベース６０の対向壁６０Ｔと遊技機本体枠３との間に臨んで取付ベース６０の裏面側からの解除操作のみを許容し、不正な解除操作を禁止した構成となっている。解除操作部１１３の突出端部には、略Ｌの字形に曲げられた摘み操作部１１５が一体成形されている。
作業者は、取付ベース６０を開放させた後、摘み操作部１１５を摘み操作して解除操作部１１３を傾動させることにより、ロック部１１２を遊技機本体枠３側へ弾性的に引き寄せてロック突起１１４をロック受け部１１１から抜出させ、ロックの解除を行うようになっている。
【０１６１】
実施形態４によれば、第１の基板ボックス２０を取付ベース６０に安定して保持させることが可能になるとともに、取付ベース６０を開放させないことには解除操作部１１３の摘み操作部１１５を摘むことができないので、短時間での第１の基板ボックス２０の取り外しが困難となり、不正目的による第１の基板ボックス２０の取り外しを防止できる。また、ロック部１１２とロック受け部１１１の係合を解除操作部１１３によることなく解除しようとしても、ロック受け部１１１の凹みの底面が閉塞されているので、この底面に向かう方向への解除操作ができなくなる。さらに、図１６に示すように、解除操作部１１３が取付ベース６０の開閉軸の位置する側に配設されているため、取付ベース６０を全開もしくは全開に近い態様で開放しない限り解除操作部１１３を操作することができなくなり、短時間での第１の基板ボックス２０の取り外しを一層困難なものとして不正目的による第１の基板ボックス２０の取り外しを防止できる。
【０１６２】
＜実施形態５＞
図１７は、本発明の実施形態５の概略図を示す。実施形態５では、取付ベース６０とは別にパチンコ機１側に支持される機能部品１２０が設けられている点で実施形態１と異なる。
【０１６３】
すなわち、実施形態５は、第２の基板ボックス４０が第１の基板ボックス２０と連結体８０とに跨って装着され、第２の基板ボックス４０に設けられた第１の係合部４０Ｂが第１の基板ボックス２０に設けられた第１の被係合部２０Ａに係合可能とされるとともに第２の基板ボックス４０に設けられた第２の係合部４０Ａが連結体８０に設けられた第２の被係合部８０Ｂに係合可能とされ、且つ、第１の基板ボックス２０が取付ベース６０に保持可能とされる一方、連結体８０が機能部品１２０に保持可能とされている。なお、図示する連結体８０は、機能部品１２０に着脱可能に取り付けられるものであるが、機能部品１２０に一体成形されていても構わない。なお、ここでいう機能部品は、取付ベース以外の部品であればよい。たとえば、取付ベースが機構板と一体的に構成されるような場合には、この機構板以外の部品（例えば遊技機本体枠や遊技盤等）が機能部品となる。また、取付ベースが取り付けられる部品以外のものを機能部品として把握することもできる。この概念によれば、取付ベースが機構板に取り付けられている場合、その取り付けられる機構板以外の部品が機能部品に相当することとなる。
【０１６４】
実施形態５によれば、第２の基板ボックス４０が取付ベース６０と機能部品１２０とに跨って配されるので、例えば、取付ベース６０を機構板４に設けるとともに機能部品１２０を遊技機本体枠３もしくは遊技盤７のいずれかによって構成するか、これら遊技機本体枠３もしくは遊技盤７のいずれに取り付けられる部品によって構成することにより、機構板４と遊技機本体枠３もしくは遊技盤７との間に何らかの不正な操作が行われるのを規制できる。
【０１６５】
＜実施形態６＞
図１８は、本発明の実施形態６の概略図を示す。実施形態６では、実施形態１における連結体８０に相当する部分に第３の基板ボックス１３０を配して構成されている。
【０１６６】
すなわち、実施形態６は、第２の基板ボックス４０が第１の基板ボックス２０と第３の基板ボックス１３０とに跨って装着され、第２の基板ボックス４０に設けられた第１の係合部４０Ｂが第１の基板ボックス２０に設けられた第１の被係合部２０Ａに係合可能とされるとともに第２の基板ボックス４０に設けられた第２の係合部４０Ａが第３の基板ボックス１３０に設けられた第２の被係合部８０Ｂに係合可能とされ、且つ、第１の基板ボックス２０と第３の基板ボックス１３０の双方が取付ベース６０に保持可能とされている。そして、第３の基板ボックス１３０は、第２の基板ボックス４０との対向面に沿う方向で、かつ第１の基板ボックス２０の取り外し方向とは逆方向に移動することにより、第２の係合部４０Ａと第２の被係合部８０Ｂの係合を解除して取り外し可能となっている。
【０１６７】
実施形態６によれば、第１の基板ボックス２０と第３の基板ボックス１３０をそれぞれ独立して取り外すことが可能とされる。また、第２の基板ボックス４０をパチンコ機１側に取り付けるための専用部材を別に設ける必要がなくなる。つまり、連結体８０に相当する部分に基板ボックスとしての機能を兼備させることができ、部品点数を削減できる。
【０１６８】
なお、図示実施形態の場合、第３の基板ボックス１３０が取付ベース６０に保持可能とされているが、第３の基板ボックス１３０は、取付ベース６０とは別に設けられた実施形態５における機能部品１２０に保持可能とされても構わない。こうすると、第２の基板ボックス４０が取付ベース６０と機能部品１２０とに跨って配されるので、取付ベース６０を機構板４に設けて機能部品１２０を遊技機本体枠３もしくは遊技盤７に設けることにより、機構板４と遊技機本体枠３もしくは遊技盤７との間に何らかの不正な操作が行われるのを規制できる。
【０１６９】
＜実施形態７＞
図１９の（Ａ）及び（Ｂ）は、本発明の実施形態７の概略図を示す（パチンコ機１の背面図）。実施形態７では、第１及び第２の基板ボックス２０，４０が、パチンコ機１の裏面側に同パチンコ機１の上下方向に重畳して配されている点で、同パチンコ機１の奥行き方向に重畳して配される実施形態１と異なる。
【０１７０】
すなわち、実施形態７は、第１及び第２の基板ボックス２０，４０の各対向面の重なり方向が上下方向に設定されている。ここで、第１及び第２の基板ボックス２０，４０は、扁平な箱形をなし、その対向面が略方形状の平坦面とされる一方、その平坦面の４辺から奥行き寸法の短い側面が立ち上げ形成されている。したがって、実施形態８では、この奥行き寸法の短い側面がパチンコ機１側に対向して配されるので、パチンコ機１の裏面側に占める第１及び第２の基板ボックス２０，４０の設置スペースを節約することができる。
【０１７１】
また、第１の基板ボックス２０の取り外し方向が左右方向（図示する場合は矢印で示す左方向）に設定されているので、遊技機本体枠３の開放端から外部側方へ向けて第１の基板ボックス２０を取り外し可能とされる。もっとも、第１の基板ボックス２０の取り外し方向を奥行き方向に設定することも可能である。その場合には、パチンコ機１の外枠２などとの干渉を回避できるので、パチンコ機１がホール設置されていないときに、遊技機本体枠３を開放することなく、第１の基板ボックス２０の取り外し作業を行うことができる。また、基板ボックスユニット１０の周囲（上下左右方向）に部品などを配することで、パチンコ機１の裏面側における基板ボックスユニット１０の周囲のスペースを有効活用することもできる。
【０１７２】
＜実施形態８＞
図２０の（Ａ）及び（Ｂ）は、本発明の実施形態８の概略図を示す（パチンコ機１の背面図）。実施形態８では、第１及び第２の基板ボックス２０，４０が、パチンコ機１の裏面側に同パチンコ機１の左右方向に重畳して配されている点で、同パチンコ機１の奥行き方向に重畳して配される実施形態１と異なる。
【０１７３】
すなわち、実施形態９は、第１及び第２の基板ボックス２０，４０の各対向面の重なり方向が左右方向に設定されている。ここで、第１及び第２の基板ボックス２０，４０は、扁平な箱形をなし、その対向面が略方形状の平坦面とされる一方、その平坦面の４辺から奥行き寸法の短い側面が立ち上げ形成されている。したがって、実施形態８では、この奥行き寸法の短い側面がパチンコ機１側に対向して配されるので、パチンコ機１の裏面側に占める第１及び第２の基板ボックス２０，４０の設置スペースを節約することができる。
【０１７４】
また、遊技機本体枠３を全開することなく、遊技機本体枠３の開放側に位置する基板ボックス（図示する場合は第２の基板ボックス４０）の種類を判別することができる。さらに、第１の基板ボックス２０の取り外し方向が上下方向（図示する場合は矢印で示す下方）に設定されているので、作業者が隣接する他のパチンコ機１との干渉を回避しつつ第１の基板ボックス２０の取り外し作業を行うことができる。もっとも、第１の基板ボックス２０の取り外し方向を奥行き方向に設定することも可能である。その場合には、上述したように、パチンコ機１がホール設置されていないときに、遊技機本体枠３を開放することなく、第１の基板ボックス２０の取り外し作業を行うことができるなどのメリットがある。
【０１７５】
＜実施形態９＞
図２１は、本発明の実施形態９の概略図を示す（左側面図）。実施形態９では、取付ベース６０と第２の基板ボックス４０との間に、第１の基板ボックス２０Ｂに加えて第４の基板ボックス１５０が重畳して配されている点で、実施形態１と異なる。
【０１７６】
すなわち、実施形態９は、第２の基板ボックス４０と対向して配される第１の基板ボックス２０Ｂと、取付ベース６０と対向して配されるとともにその反対面で第１の基板ボックス２０Ｂと対向して配される第４の基板ボックス１５０とを備えている。そして、第４の基板ボックス１５０と取付ベース６０との間には実施形態１と同じ形態のレール部６４が設けられ、このレール部６４によって第４の基板ボックス１５０が取付ベース６０に案内支持されるようになっている。同様に、第１の基板ボックス２０Ｂと第２の基板ボックス４０との間にもレール部４４Ａが設けられ、このレール部４４Ａによって第１の基板ボックス２０Ｂが第２の基板ボックス４０に案内支持されるようになっている。レール部４４Ａは、第１の基板ボックス２０Ｂの両側縁と摺動可能なように一対が対向して配されている。
【０１７７】
これにより、第４の基板ボックス１５０を取り外すときにはその第４の基板ボックス１５０を取付ベース６０のレール部６４に沿って右側（図示する手前側）へ移動させて引き出せばよく、第１の基板ボックス２０Ｂを取り外すときにはその第１の基板ボックス２０Ｂを第２の基板ボックス４０のレール部４４Ａに沿って右側へ移動させて引き出せばよい。したがって、取付ベース６０と第２の基板ボックス４０との間に、第１の基板ボックス２０Ｂ以外の第４の基板ボックス１５０が配されていても、第１の基板ボックス２０Ｂのみを独立して取り外すことが可能となる。
【０１７８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、引き出し部６３によって保持部を構成し、第１の基板ボックスと取付ベースとをねじ止めして保持するように構成していたが、別の保持構成であってもよい。例えば、公知のクリップ等を利用して固着しても構わない。
（２）上記実施形態では、第１の突出部を第２の基板ボックスに設けるとともに第１の係合孔を第１の基板ボックスに設けていたが、本発明においては、これとは逆に、第１の突出部を第１の基板ボックスに設けるとともに第１の係合孔を第２の基板ボックスに設けてもよい。
（３）上記実施形態では、第２の突出部を第２の基板ボックスに設けるとともに第２の係合孔を連結体（実施形態６にあっては第３の基板ボックス）に設けていたが、本発明においては、これとは逆に、第２の突出部を連結体（実施形態６にあっては第３の基板ボックス）に設けるとともに第２の係合孔を第２の基板ボックスに設けてもよい。
【０１７９】
（４）上記実施形態では、第２の基板ボックスが第１の基板ボックスと連結体（実施形態６にあっては第３の基板ボックス）とに跨って装着されていたが、本発明においては、連結体（実施形態６にあっては第３の基板ボックス）が第２の基板ボックスと第１の基板ボックスとに跨って装着されていてもよい。要は、第１の基板ボックスとは別の部材（連結体や取付ベースなど）をパチンコ機側に支持させ、この別の部材に第２の基板ボックスを保持させることにより、第１の基板ボックスを取り外した後、第２の基板ボックスが脱落しないような構成であればよい。
（５）上記実施形態では、第１の係合部を第２の基板ボックスに設けるとともに第１の被係合部を第１の基板ボックスに設けていたが、本発明においては、第１の係合部を第１の基板ボックスに設けるとともに第１の被係合部を取付ベースに設けてもよい。
（６）本発明においては、取付ベースをパチンコ機に対して着脱可能に支持させてもよい。これにより、製造時における組付けが簡略化されるとともに保守点検や機種替えなどの作業が効率化される。
（７）上記実施形態では、取付ベースが遊技機本体枠の裏面側に開閉可能に支持されるとともに機構板とは別に構成されていたが、本発明においては、取付ベースが機構板と一体成形されていてもよい。これにより、基板ボックスと機構板に設ける部品との配線が効率的となる。つまり、取付ベースが機構板と別に設けられる場合には、双方の壁で二重になり、それぞれに配線用の挿通孔を設ける必要があるが、取付ベースと機構板とが一体成形されていれば、壁が一重になるので、それぞれに配線用の挿通孔を設けなくて済む。
（８）本発明においては、取付ベースが機構板の裏面側に開閉可能に支持されていてもよい。また、この場合に、取付ベースの開閉軸が機構板の開閉軸の位置する側と同じ側に配されていると好ましい。こうすると、取付ベースと機構板の開放側が同じ側となるから、開放作業が容易となる。
【０１８０】
（９）本発明においては、第１の係合部が第１の突出部のみで構成され、第１の被係合部がこの第１の突出部を受け入れ可能な単なる孔として構成されていてもよい。同じく、本発明においては、第２の係合部が第２の突出部のみで構成され、第２の被係合部がこの第２の突出部を受け入れ可能な単なる孔として構成されていてもよい。このような構成によっても、第２の基板ボックスがねじ部材などの固定手段によることなく第１の基板ボックスや連結体などと係合可能とされるので、第１の基板ボックスを移動させるにあたってねじ部材を緩めるなどの作業が不要となり、取り外し作業を迅速に行うことができる。
【図面の簡単な説明】
【０１８１】
【図１】本発明の実施形態１を適用したパチンコ機の裏面側の斜視図
【図２】基板ボックスユニットの分解斜視図
【図３】基板ボックスユニットの斜視図
【図４】基板ボックスユニットの要部破断平面図
【図５】第１の基板ボックスを取り外す途中の要部破断平面図
【図６】第１の突出部が第１の基板ボックスに乗り上げられたときの要部破断平面図
【図７】第１の基板ボックスを取り付ける途中の平面図
【図８】第１の突出部が第１の基板ボックスに摺動するときの平面図
【図９】取付ベースの斜視図
【図１０】第２の基板ボックスと連結体の係合構造の斜視図
【図１１】第２の基板ボックスの斜視図
【図１２】第１の基板ボックスの斜視図
【図１３】第２の基板ボックスと第１の基板ボックスの係合構造の斜視図
【図１４】実施形態２の要部断面図
【図１５】（Ａ）実施形態３における第１の突出部と第１の係合孔の平面図  （Ｂ）第１のつば部が第１の係合孔の孔周りに掛け止めされたときの平面図
【図１６】実施形態４における基板ボックスユニットの要部破断平面図
【図１７】実施形態５における基板ボックスユニットの概略平面図
【図１８】実施形態６における基板ボックスユニットの概略平面図
【図１９】（Ａ）実施形態７におけるパチンコ機の要部背面図  （Ｂ）第１の基板ボックスが取り外された状態の要部背面図
【図２０】（Ａ）実施形態８におけるパチンコ機の要部背面図  （Ｂ）第１の基板ボックスが取り外された状態の要部背面図
【図２１】実施形態９における基板ボックスユニットの概略側面図
【符号の説明】
【０１８２】
１…パチンコ機
３…遊技機本体枠
４…機構板
１０…基板ボックスユニット
２０…第１の基板ボックス
２０Ａ…第１の被係合部
２３…第１の係合孔
４０…第２の基板ボックス
４０Ａ…第２の係合部
４０Ｂ…第１の係合部
４１…係止受け部
４２…第２の突出部
４８…第１の突出部
６０…取付ベース
６３…引き出し部（保持部）
６４…レール部（案内部）
８０…連結体
８０Ｂ…第２の被係合部
８１…係止部
８６…第２の係合孔
【図１】
2005168829.tif 000003
【図２】
2005168829.tif 000004
【図３】
2005168829.tif 000005
【図４】
2005168829.tif 000006
【図５】
2005168829.tif 000007
【図６】
2005168829.tif 000008
【図７】
2005168829.tif 000009
【図８】
2005168829.tif 000010
【図９】
2005168829.tif 000011
【図１０】
2005168829.tif 000012
【図１１】
2005168829.tif 000013
【図１２】
2005168829.tif 000014
【図１３】
2005168829.tif 000015
【図１４】
2005168829.tif 000016
【図１５】
2005168829.tif 000017
【図１６】
2005168829.tif 000018
【図１７】
2005168829.tif 000019
【図１８】
2005168829.tif 000020
【図１９】
2005168829.tif 000021
【図２０】
2005168829.tif 000022
【図２１】
2005168829.tif 000023